(57)【要約】      （修正有）【課題】再生装置と複数台の投影装置を接続して投影するにあたり、制御装置やホスト投影装置等に依存せず、容易に同期制御可能な投影装置を提供する。【解決手段】再生装置から映像情報を受信する映像情報入力部と、映像情報を送信する映像情報出力部と、映像情報を投影する表示部と、光源部と、光源部からの光を変調するパネル部を備えた投影装置であって、再生装置及び第二の投影装置との制御情報を通信する制御情報通信部一、制御情報通信部二を備え、制御情報通信部一、制御情報通信部二での制御情報の通信に基づいて、投影装置と接続されている再生装置および第二の投影装置の制御を行なう制御処理部を備え、投影装置の表示部の状態を判定する状況情報判定部を備え、状況情報判定部から得る表示部の状態情報を制御情報通信部一、制御情報通信部二を介して通信し、状況情報を解析して接続されている再生装置、及び第二の投影装置との同期制御を行なう。【選択図】図１
2012191462.tif 000002
【特許請求の範囲】
【請求項１】
再生装置から送信される映像情報を受信する映像情報入力部と、
前記再生装置から送信される映像情報を送信する映像情報出力部と、
前記映像情報部入力部から受け取った映像情報を投影する表示部と、
前記表示部の点灯処理を行なう光源部と、
前記表示部内で前記光源部からの光を任意の反射率、もしくは透過率で変調するパネル部を備えた投影装置であって、
前記投影装置と前記映像情報入力部に接続された周辺機器との間で、
制御情報の通信を行なう制御情報通信部一と、
前記投影装置と前記映像情報出力部に接続された第二の投影装置との間で、
制御情報の通信を行なう、制御情報通信部二を備え、
前記制御情報通信部一、前記制御情報通信部二からの制御情報に基づいて、前記投影装置と、前記投影装置に接続されている再生装置および第二の投影装置の制御を行なう制御処理部を備え、
前記表示部の状況を判定する状況情報判定部を備え、
前記状況情報判定部から得る前記表示部の状況情報を前記制御情報通信部一、前記制御情報通信部二を介して通信し、
前記表示部の状況情報を解析して前記投影装置と接続されている再生装置および第二の投影装置との同期制御を行なう手段を備えたことを特徴とする投影装置。
【請求項２】
前記映像情報入力部から受け取る映像情報に処理を加え、
前記映像情報を前記表示部へ送信する処理と前記映像情報出力部へ送信する処理を行なう
映像情報処理部を備えていることを特徴とする請求項１に記載の投影装置。
【請求項３】
前記表示部の点灯状況を判定する機能を有する状況情報判定部を備えたことを特徴とする請求項１又は請求項２に記載の投影装置。
【請求項４】
前記光源部の駆動状況を監視し、
前記光源部の駆動状況の変化から、前記光源部が点灯したことを検知する機能を有する監視部を備え、
前記監視部が保持する点灯検知情報によって点灯判定を行なう、
状況情報判定部を備えたことを特徴とする請求項１乃至請求項３のいずれか１項に記載の投影装置。
【請求項５】
前記光源部の温度を測定する監視部を備え、
前記投影装置が投影を開始した後、前記表示部の光源部の温度を測定し、
前記監視部から得られる前期表示部の光源部の温度情報を用いて点灯判定を行なう、
状況情報判定部を備えたことを特徴とする請求項１乃至請求項３のいずれか１項に記載の投影装置。
【請求項６】
前記光源部の輝度を測定する監視部を備え、
前記投影装置が投影を開始した後、前記表示部の光源部の輝度を測定し、
前記監視部から得られる前期表示部の光源部の輝度情報を用いて点灯判定を行なう、
状況情報判定部を備えたことを特徴とする請求項１乃至請求項３のいずれか１項に記載の投影装置。
【請求項７】
前記パネル部の初期化終了を検知する監視部を備え、
前記投影装置が投影を開始した後、前記パネル部の初期化が終了したタイミングを検知し、
前記監視部から得られる前期パネル部の初期化が終了したタイミング情報を用いて点灯判定を行なう、
状況情報判定部を備えたことを特徴とする請求項１乃至請求項３のいずれか１項に記載の投影装置。 
【請求項８】
前記投影装置において、前回投影時の投影開始から前期点灯完了までにかかった時間を保存し、
前回投影時に保存された時間を、今回投影時の投影開始から点灯完了までに必要な時間とし、
前記投影装置において、今回投影時の投影開始から点灯完了までにかかった時間を保存し、
今回投影時に、保存された時間を次回の投影時の、投影開始から点灯完了までに必要な時間として保存しておくことができる点灯時間保存部を備え、
前記投影装置の点灯時間保存部にある時間情報と、前期制御情報通信部二に接続される第二の投影装置との通信で受け取る時間情報とを比較し、
２つの時間情報の内、より長い時間の時間情報を選択する状況情報判定部を備えていることを特徴とする請求項１乃至請求項３のいずれか１項に記載の投影装置。
【発明の詳細な説明】
【技術分野】
【０００１】
本発明は、投影装置に関し、とくに投影の同期制御に関する。
【背景技術】
【０００２】
従来、複数の投影装置を並べて接続し、同じ映像を投影する場合、各投影装置に対して、分配器を用いて、ＰＣ等の映像・音声を供給する装置を接続する方法か、もしくは投影装置と映像・音声供給装置を1対1に接続し投影する方法がある。
【０００３】
しかし、これらの方法では、投影装置を並べて投影する際に、リモコン操作もしくは、ボタン押下等の操作で投影を開始するが、それぞれの投影装置毎の操作が必要になり、映像が表示されるタイミングにズレが生じてしまう。
【０００４】
これに対して、特許文献１では、制御装置を設けて複数の投影装置と制御装置をネットワーク接続することで、制御装置は各投影装置の状態などを把握し、各投影装置を同期制御可能なシステムである。また、制御装置によってホスト投影装置を設定し、その後は各投影装置の中心となり、各投影装置間で投影開始の同期制御を行なえるシステムが開示されている。
【先行技術文献】
【特許文献】
【０００５】
【特許文献１】特開２００５−００３９０３号公報
【発明の概要】
【発明が解決しようとする課題】
【０００６】
しかしながら、この方法では、制御装置のような複雑な機能を持つ処理装置が必要となってしまう。また、接続する投影装置が増える度に、制御装置に対する負荷が大きくなってしまう。さらに、制御装置に問題が発生した場合は、接続される複数の投影装置の制御が出来なくなる可能性もある。
【０００７】
そこで、本発明の目的は、再生装置と複数台の投影装置を接続して同期制御をするにあたり、制御装置やホスト投影装置等に依存しない、容易に同期制御可能な手段を備える投影装置を提供することである。
【課題を解決するための手段】
【０００８】
請求項１に記載の投影装置は、
再生装置から送信される映像情報を受信する映像情報入力部と、
前記再生装置から送信される映像情報を送信する映像情報出力部と、
前記映像情報部入力部から受け取った映像情報を投影する表示部と、
前記表示部の点灯処理を行なう光源部と、
前記表示部内で前記光源部からの光を任意の反射率、もしくは透過率で変調するパネル部を備えた投影装置であって、
前記投影装置と前記映像情報入力部に接続された周辺機器との間で、
制御情報の通信を行なう制御情報通信部一と、
前記投影装置と前記映像情報出力部に接続された第二の投影装置との間で、
制御情報の通信を行なう、制御情報通信部二を備え、
前記制御情報通信部一、前記制御情報通信部二からの制御情報に基づいて、前記投影装置と、前記投影装置に接続されている再生装置および第二の投影装置の制御を行なう制御処理部を備え、
前記表示部の状況を判定する状況情報判定部を備え、
前記状況情報判定部から得る前記表示部の状況情報を前記制御情報通信部一、前記制御情報通信部二を介して通信し、
前記表示部の状況情報を解析して前記投影装置と接続されている再生装置および第二の投影装置との同期制御を行なう手段を備えたことを特徴とする投影装置。
【０００９】
請求項２に記載の投影装置は、
請求項１に記載の投影装置において、
前記映像情報入力部から受け取る映像情報に処理を加え、
前記映像情報を前記表示部へ送信する処理と前記映像情報出力部へ送信する処理を行なう
映像情報処理部を備えていることを特徴とする請求項１記載の投影装置。
【００１０】
請求項３に記載の投影装置は、
請求項１又は請求項２に記載の投影装置において、
前記表示部の点灯状況を判定する機能を有する状況情報判定部を備えたことを特徴とする。
【００１１】
請求項４に記載の投影装置は、
請求項１乃至請求項３のいずれか１項に記載の投影装置において、
前記光源部の駆動状況を監視し、
前記光源部の駆動状況の変化から、前記光源部が点灯したことを検知する機能を有する監視部を備え、
前記監視部が保持する点灯検知情報によって点灯判定を行なう、
状況情報判定部を備えたことを特徴とする。
【００１２】
請求項５に記載の投影装置は、
請求項１乃至請求項３のいずれか１項に記載の投影装置において、
前記光源部の温度を測定する監視部を備え、
前記投影装置が投影を開始した後、前記表示部の光源部の温度を測定し、
前記監視部から得られる前期表示部の光源部の温度情報を用いて点灯判定を行なう、
状況情報判定部を備えたことを特徴とする。
【００１３】
請求項６に記載の投影装置は、
請求項１乃至請求項３のいずれか１項に記載の投影装置において、
前記光源部の輝度を測定する監視部を備え、
前記投影装置が投影を開始した後、前記表示部の光源部の輝度を測定し、
前記監視部から得られる前期表示部の光源部の輝度情報を用いて点灯判定を行なう、
状況情報判定部を備えたことを特徴とする。
【００１４】
請求項７に記載の投影装置は、
請求項１乃至請求項３のいずれか１項に記載の投影装置において、
前記パネル部の初期化終了を検知する監視部を備え、
前記投影装置が投影を開始した後、前記パネル部の初期化が終了したタイミングを検知し、
前記監視部から得られる前期パネル部の初期化が終了したタイミング情報を用いて点灯判定を行なう、
状況情報判定部を備えたことを特徴とする。 
【００１５】
請求項８に記載の投影装置は、
請求項１乃至請求項３のいずれか１項に記載の投影装置において、
前記投影装置において、前回投影時の投影開始から前期点灯完了までにかかった時間を保存し、
前回投影時に保存された時間を、今回投影時の投影開始から点灯完了までに必要な時間とし、
前記投影装置において、今回投影時の投影開始から点灯完了までにかかった時間を保存し、
今回投影時に、保存された時間を次回の投影時の、投影開始から点灯完了までに必要な時間として保存しておくことができる点灯時間保存部を備え、
前記投影装置の点灯時間保存部にある時間情報と、前期制御情報通信部二に接続される第二の投影装置との通信で受け取る時間情報とを比較し、
２つの時間情報の内、より長い時間の時間情報を選択する状況情報判定部を備えていることを特徴とする。
【発明の効果】
【００１６】
請求項１に記載の投影装置によれば、映像情報入力部、映像情報出力部を備えていることによって、再生装置と、１つ以上の複数台の投影装置が接続でき、複数台の投影装置で同じ映像を表示することが出来る。また、制御情報通信部一、制御情報通信部二を持つことで、接続された再生装置および投影装置との間で、表示部の状況を見ながら、お互いを制御することが可能である。
【００１７】
請求項２に記載の投影装置によれば、映像情報入力部で受け取った映像情報に処理を加えて、映像情報出力部に接続される周辺機器に処理後の映像情報を出力することで、複数の投影装置でマルチ投影をすることが出来る。
【００１８】
請求項３に記載の投影装置によれば、表示部の点灯状況を把握することが出来る。
【００１９】
請求項４に記載の投影装置によれば、監視部によって表示部にある光源部の電源パルス状況から、点灯検知し、点灯検知情報を用いて点灯が完了したのか状況情報判定部で判定することが出来る。
【００２０】
請求項５に記載の投影装置によれば、監視部によって映像を投影する表示部にある光源部の温度を監視することで、投影が開始から光源部が明るくなり、点灯が完了したのか状況情報判定部で判定することが出来る。
【００２１】
請求項６に記載の投影装置によれば、監視部によって映像を投影する表示部にある光源部の輝度を監視することで、投影が開始から光源部が明るくなり、点灯が完了したのか状況情報判定部で判定することが出来る。
【００２２】
請求項７に記載の投影装置によれば、監視部によって映像を投影する表示部にある光源部のパネル部の初期化終了を検知することで、投影開始から光源部が明るくなり、点灯が完了したのかを状況情報判定部で判定することができる。
【００２３】
請求項８に記載の投影装置によれば、点灯時間保存部によって、前回投影時の投影開始から点灯完了までにかかった時間を保存しておき、前回投影時に保存された時間を、今回投影時の投影開始から点灯完了までに必要な時間とし、また、今回投影時に投影開始から点灯完了までにかかった時間を保存して、次回投影時に必要な時間として参照できることで、投影開始から実際に映像が表示されるまでの時間を把握することが出来る。
【図面の簡単な説明】
【００２４】
【図１】本発明の実施形態に係る投影装置２００の構成図
【図２】本発明の実施形態に係る投影装置制御システムの接続構成図
【図３】本発明の実施形態に係る投影装置制御システムの同期制御の方法を示すステップ図
【図４】本発明の実施形態に係る投影装置２０１と再生装置１０１との制御処理動作を示すフローチャート
【図５】本発明の実施形態に係る投影装置２０１と投影装置２０２との制御処理動作を示すフローチャート
【図６】本発明の実施形態に係る投影装置２０２と再生装置２０３との制御処理動作を示すフローチャート
【発明を実施するための形態】
【００２５】
以下に、本発明の好ましい実施形態を、添付の図面に基づいて詳細に説明する。
【００２６】
図１は投影装置２００の内部構成を示した図である。各投影装置は以下のような部分を備える。
【００２７】
再生装置等から映像情報を受信する映像情報入力部１１０１、受信した映像情報を送信する映像情報出力部１１０２を備える。
【００２８】
映像情報入力部に接続されている装置と双方向制御が可能な制御情報通信部一１２０１、映像情報出力部に接続されている装置と双方向制御が可能な制御情報通信部二１２０２を備える。
【００２９】
映像情報入力部１１０１と、制御情報通信部一１２０１が1つコネクタであって、映像情報出力部１１０２と、制御情報通信部二１２０２が1つのコネクタであっても良い。
【００３０】
ユーザのボタン押下などの操作による投影装置の制御をおこなう制御処理部１３００を備える。また、制御処理部１３００は制御情報通信部一１２０１、制御情報通信部二１２０２を介して外部との制御情報の通信を行ない投影装置や外部に接続される装置の制御を行なう。
【００３１】
外部から受け取った映像情報に処理を加え、別に接続されている外部装置へ送信する映像情報処理部１５００を備える。なお、映像情報を外部装置へ送信する際に、映像情報に処理を加えない場合は、映像情報処理部１５００は不要である。
【００３２】
映像情報を受信し、投影処理を行なう表示部１６００を備える。
【００３３】
投影装置２００の投影開始から、実際に点灯が完了したのかを、監視部１７００、点灯時間保存部１８００から得る情報によって判定する状況情報判定部１４００を備える。
【００３４】
表示部の起動後の点灯状況を監視する監視部１７００は光源部１６０１の電源パルスの状況を監視し、電源パルスの状況の変化から点灯を検知し、状況情報判定部が点灯完了を判定する。
【００３５】
監視部１７００はこの他、光源部の温度、光源部の輝度、パネル部の初期化を監視し、点灯を検知しても良い。
【００３６】
点灯時間保存部１８００は、前回の投影で表示部が投影開始から点灯完了状態に変化するまでにかかった時間情報を保存しておき、保存されている時間情報を今回の投影開始から点灯完了までに必要な時間とする。さらに今回実際に投影開始から点灯までにかかった時間情報を、次回の投影で投影開始から点灯完了までに必要な時間として保存しておくことが出来る。
【００３７】
また、制御処理部１３００は状況情報判定部から受け取った情報を制御情報通信部一１２０１、制御情報通信部二１２０２に接続される外部の装置へ通知することが出来る。
【００３８】
図２は全システムの構成を示した図である。再生機器１０１と複数の投影装置２０１、２０２、２０３(以下投影装置をまとめて２００と表現する場合がある)を図１のように接続する。
【００３９】
これによって、再生装置１０１から、映像情報(再生装置が供給する映像情報及び、音声情報)が供給され、信号線３０１、３０２、３０３を通して映像情報入力部側から映像情報出力部側に接続される投影装置へと送信される。
【００４０】
制御情報も信号線４０１、４０２、４０３、を通して、双方向に通信でき、投影装置２００、再生装置１０１を制御することが出来る。
【００４１】
なお、投影装置の台数は限定せず、いずれの台数でも良い。
【００４２】
図３は、再生装置１０１の再生から、複数の投影装置が投影を開始し、全ての投影装置が点灯完了状態になった際に、同期して映像投影をはじめる一連の流れの一例を示している。
【００４３】
ユーザのリモコン操作やボタン押下によって、再生装置１０１を再生モードに切り替えることで、一連の流れが実行される。
【００４４】
ステップＳ１１はユーザによって、再生装置１０１が再生モードに切り替わり、接続されている投影装置２０１へ「電源オン」制御情報が送信され、投影装置２０１は投影を開始する。
【００４５】
ステップＳ１２は再生装置１０１から受信した制御情報によって投影を開始した投影装置２０１が、再生装置１０１の映像が前に進まないように「一時停止」制御情報を送信し、映像を一時停止する。
【００４６】
ステップＳ１３は投影を開始した投影装置２０１によって、映像情報出力部側に接続されている投影装置２０２に対して、「電源オン」制御情報が送信され、投影装置２０２は投影を開始する。
【００４７】
ステップＳ１４は投影を開始した投影装置２０２によって、映像情報出力部側に接続されている投影装置２０３に対して、「電源オン」制御情報が送信され、投影装置２０３は投影を開始する。
【００４８】
ステップＳ１５は接続されている投影装置の内、末端に位置する投影装置２０３が映像点灯完了状態あるかを確認し、点灯完了状態であれば投影装置２０２に対して点灯完了状態であることを通知する。
【００４９】
ステップＳ１６は投影装置２０２が投影装置２０３からの点灯完了を示す通知を受信し、投影装置２０２自身も点灯完了状態であるかを確認し、点灯完了状態であれば、投影装置２０１に対して点灯完了状態であることを通知する。
【００５０】
ステップＳ１７は投影装置２０１が投影装置２０２からの点灯完了を示す通知を受信し、投影装置２０１自身も点灯完了状態であるかを確認し、点灯完了状態であれば、再生装置１０１に対して「一時停止解除」の制御情報を送信する。
【００５１】
よって再生装置１０１に複数の投影装置を接続し、映像を表示するにあたり同期を取ることが可能となる。
【００５２】
図４は投影装置２０１の再生装置から電源オンの制御情報を受信し、投影を開始するまでの一連の流れを示す一例である。
【００５３】
ステップＳ１０１はユーザの制御によって再生装置１０１が再生モードに切り替わる。
【００５４】
ステップＳ１０２は再生装置１０１から投影装置２０１へ「電源オン」制御情報が送信される。
【００５５】
ステップＳ１０３は再生装置１０１から受信した「電源オン」制御情報に基づいて、投影装置２０１は投影を開始する。
【００５６】
ステップＳ１０４は投影装置２０１が投影開始後、映像が先に進まないように再生装置１０１へ向けて「一時停止」制御情報を送信する。
【００５７】
ステップＳ１０５は投影装置２０１から受信した「一時停止」制御情報に基づいて、再生装置１０１は一時停止モードに切り替わる。
【００５８】
ステップＳ１０６は投影装置２０１から投影装置２０２へ「電源オン」制御情報が送信される。
【００５９】
ステップＳ１０７は処理２を行なう。
【００６０】
ステップＳ１０８は投影装置２０１が投影装置２０２から投影装置２０２が点灯完了状態になったことを示す通知を受信する。
【００６１】
ステップＳ１０９は投影装置２０１が点灯完了状態であるのか確認をする。
【００６２】
ステップＳ１１０は投影装置２０１が点灯完了状態であればＳ１１１へ進み、点灯完了状態出なければＳ１０９へ戻る。
【００６３】
ステップＳ１１１は投影装置２０１から再生装置１０１へ「一時停止解除」制御情報が送信される。
【００６４】
ステップＳ１１２は投影装置２０１から受信した「一時停止解除」制御情報に基づいて、再生装置１０１は再生モードに切り替わる。
【００６５】
ステップＳ１１３は投影装置２０１が再生装置１０１から送られてくる映像情報に基づいて映像を表示する。
【００６６】
ステップＳ１１４は投影装置２０１から投影装置２０２へ映像情報が送信される。
【００６７】
図５は投影装置２０１と２０２が投影を開始するまでの一連の流れを示す一例である。
【００６８】
ステップＳ２０１は投影装置２０２が投影を開始する。
【００６９】
ステップＳ２０２は投影装置２０２から投影装置２０３へ「電源オン」制御情報が送信
される。
【００７０】
ステップＳ２０３は処理３を行なう。
【００７１】
ステップＳ２０４は投影装置２０２は投影装置２０３から投影装置２０３が点灯完了状態になったことを示す通知を受信する。
【００７２】
ステップＳ２０５は投影装置２０２が点灯完了状態であのか確認をする。
【００７３】
ステップＳ２０６は投影装置２０２が点灯完了状態であればＳ２０７へ進み、点灯完了状態でなければＳ２０５へ戻る。
【００７４】
ステップＳ２０７は投影装置２０２から再生装置２０１へ投影装置２０２が点灯完了状態であることを示す。
【００７５】
ステップＳ２０８は投影装置２０２は投影装置２０３から送られてくる映像情報に基づいて映像を表示する。
【００７６】
ステップＳ２０９は投影装置２０１から投影装置２０２へ映像情報が送信される。
【００７７】
図６は投影装置２０２と２０３が投影を開始するまでの一連の流れを示す一例である。
【００７８】
ステップＳ３０１は投影装置２０３が投影を開始する。
【００７９】
ステップＳ３０２は投影装置２０３が点灯完了状態であのか確認をする。
【００８０】
ステップＳ３０３は投影装置２０３が点灯完了状態であればＳ３０４へ進み、点灯完了状態出なければＳ３０２へ戻る。
【００８１】
ステップＳ３０４は投影装置２０３から再生装置２０２へ投影装置２０３が点灯完了状態であることを示す。
【００８２】
ステップＳ３０５は投影装置２０３は投影装置２０２から送られてくる映像情報に基づいて映像を表示する。
【００８３】
以上、本発明の好ましい実施形態について説明したが、本発明はこれらの実施形態に限定されず、その要旨の範囲内で種々の変形及び変更が可能である。
【符号の説明】
【００８４】
１０１  再生装置
２００  投影装置
２０１  投影装置
２０２  投影装置
２０３  投影装置
３０１  映像信号線
３０２  映像信号線
３０３  映像信号線
４０１  制御線
４０２  制御線
４０３  制御線
１１０１  映像情報入力部
１１０２  映像情報出力部
１２０１  制御情報通信部一
１２０２  制御情報通信部二
１３００  制御処理部
１４００  状況情報判定部
１５００  映像情報処理部
１６００  表示部
１６０１  光源部
１６０２  パネル部
１７００  監視部
１８００  点灯時間保存部
【図１】
2012191462.tif 000003
【図２】
2012191462.tif 000004
【図３】
2012191462.tif 000005
【図４】
2012191462.tif 000006
【図５】
2012191462.tif 000007
【図６】
2012191462.tif 000008